(57)【特許請求の範囲】
【請求項１】
無線基地局と無線通信する移動機が、
予め定められた路線上において少なくとも入場が行われる場所に設けられ、前記路線のルートと前記路線のルート上の前記場所への入場に関する情報を規定した入場情報を管理する装置と通信し、前記入場情報の受信を行う通信部と、
前記路線のルート情報と前記ルートに沿ったセル情報を記憶する記憶部と、
前記通信部で前記路線上の前記入場情報を管理する装置から受け取った入場情報を受信すると、前記記憶部に記憶されている、前記路線のルート情報と前記ルートに沿ったセル情報を参照して、前記路線のルートに沿ったセル情報に基づき、現在のセルをサーチするとともに、前記現在のセルから次に移動するセルを予測し、次の移動先候補であるセルに関してサーチを行うセル検出部と、
を備えている、ことを特徴とする移動機。
【請求項２】
無線基地局と無線通信を行う移動機において、
駅改札において入場／退場情報の送受信を行う通信部と、
前記路線のルート情報と前記ルートに沿ったセル情報を少なくとも記憶する記憶部と、
セルのサーチを行い接続するセルの選択を行うセル検出部と、
を備え、
改札に入場する時、前記通信部が改札の通信部から、前記路線のルートと前記路線のルート上の前記改札への入場に関する情報を規定した入場情報、駅情報を受信して、前記記憶部に記憶し、
前記記憶部の情報を参照して次の駅までの区間のセル情報を選択し、前記セル検出部は前記セル情報に基づき、現在のセルをサーチするとともに、前記現在のセルから次に移動するセルを予測してサーチを行う、ことを特徴とする移動機。
【請求項３】
前記記憶部は、最適セル情報として運行ダイヤを記憶し、
駅改札へ入場する際に、駅情報と、入場時刻を記憶し、
入場時刻以降に、駅から出発する鉄道に関して、運行ダイヤとセル情報を組み合わせた情報を参照し、現在のセルの次に接続する可能性のあるセルについて受信レベルを検出する、ことを特徴とする請求項２記載の移動機。
【請求項４】
前記移動機が、あるセルに移動すると該セルに移動した時刻を検出し、前記記憶部から読み出したセル情報のセルから、次のセルへ移動する時刻情報と比較し、移動時刻が最も近い情報を参照して、以降の接続セル、及び該セルとの接続時刻を予測し、セルの選択を行う、ことを特徴とする請求項２記載の移動機。
【請求項５】
前記移動機の利用者が指定するルートにおいて前記セル検出部で検出されたセルの状態を記憶する手段を備えている請求項２記載の移動機。
【請求項６】
セルを記憶するモードに設定された場合、前記セル検出部で検出されたセル情報を時刻情報とともに、前記記憶部に記憶し、
前記記憶部に記憶されたセル情報を参照してセルサーチを行う場合には、利用者が前記移動機の操作部で、前記記憶部に記憶されたセル情報を検索してセルサーチを実行する、ことを特徴とする請求項２記載の移動機。
【請求項７】
無線基地局と無線通信する移動機のセルサーチ方法において、
前記移動機は、予め定められた路線のルート情報と前記ルートに沿ったセル情報を記憶部に記憶しておき、
前記路線上において少なくとも入場が行われる場所に設けられ、前記路線のルートと前記路線のルート上の前記場所への入場に関する情報を規定した入場情報を管理する装置と通信して入場情報の受信を行う工程と、
前記路線上の前記入場情報を管理する装置から受け取った入場情報を受信すると、前記記憶部に記憶されている情報を参照して、前記路線のルートに沿ったセル情報に基づき、現在のセルをサーチするとともに、前記現在のセルから次に移動するセルを予測し、次の移動先候補であるセルに関してサーチを行う工程と、
を含む、ことを特徴とするセルサーチ方法。
【請求項８】
移動機が、利用する鉄道の路線のルート情報と該ルートに沿った最適なセル情報を予め記憶部に記憶しており、
前記移動機は、改札から、前記路線のルートと前記路線のルート上の前記改札への入場に関する情報を規定した入場情報を受信すると、路線の前記駅に関して前記記憶部を検索し、前記駅から次の駅までの区間の最適なセル情報を取得する工程と、
前記移動機が、前記記憶部に記憶された前記セル情報に基づき、現在のセルをサーチするとともに、前記現在のセルから次に移動するセルを予測し、次の移動先候補であるセルに関してサーチを行う工程と、
を含む、ことを特徴とするセルサーチ方法。
【請求項９】
前記移動機が、前記記憶部は、最適セル情報に運行ダイヤを記憶する工程と、
前記移動機が、駅改札への入場に際して、駅情報と、入場時刻を記憶する工程と、
前記移動機が、入場時刻以降に、駅から出発する鉄道に関して、運行ダイヤとセル情報を組み合わせた情報を参照し、現在のセルの次に接続する可能性のあるセルについて、受信レベルを検出する工程と、
を含む、ことを特徴とする請求項８記載のセルサーチ方法。
【請求項１０】
前記移動機が、あるセルに移動すると、移動した時刻を検出し、前記記憶部のセル情報のセルから、他のセルへ移動する時刻情報と比較する工程と、
前記移動機は、移動時刻が最も近い情報を参照して、以降の接続セル、該セルとの接続時刻を予測し、セル選択を行う工程と、
を含む、ことを特徴とする請求項８記載のセルサーチ方法。
【請求項１１】
前記移動機が、利用者の指定するルートにおける、検出セルの状態を記憶する工程を含む、ことを特徴とする請求項８記載のセルサーチ方法。
【請求項１２】
前記移動機でセル記憶モードに設定されると、セル検出部で検出したセル情報を時刻情報とともに記憶部に記憶し、その間、周辺セルについて、サーチを行い、最もよい受信レベルのセルを選択する工程と、
前記記憶部に記憶されたセルデータを参照してセルサーチを行う場合には、前記移動機の操作部で、利用者が当該データを検索して実行する工程と、
を含む、ことを特徴とする請求項８記載のセルサーチ方法。
【請求項１３】
改札が移動機に対して応答要求信号を送信する工程と、
移動機が、前記改札と通信可能な範囲に入ると、前記移動機は、前記改札からの応答要求信号を受信して応答信号を送信する工程と、
前記改札は、前記移動機から応答信号を受信すると、状態送信要求を、前記移動機へ送信する工程と、
前記移動機は、前記改札から状態送信要求を受信すると、退場状態であることを、前記改札に送信する工程と、
前記改札は、前記移動機から退場状態であることを受信すると、駅情報および入場したという入場情報を移動機に送信する工程と、
前記移動機は、前記改札から受信した駅情報を記憶部に記憶し、状態を入場に設定する工程と、
前記移動機は、入場情報を受信すると、受信したことを前記改札に通知する工程と、
前記改札は前記移動機との通信を終了する工程と、
を有し、
前記移動機は、利用する鉄道の路線のルートと該ルートに沿った最適セル情報をあらかじめ前記記憶部に記憶しており、
前記移動機は、前記改札から、前記路線のルートと前記路線のルート上の前記改札への入場に関する情報を規定した入場情報を受信すると、路線の前記駅に関して前記記憶部を検索し、現在のセルをサーチするとともに、前記現在のセルから次に移動するセルを予測し、次の移動先候補であるセルに関してサーチを行うことで、前記駅から次の駅までの区間の最適セル情報を呼び出す工程と、
を含む、ことを特徴とするセルサーチ方法。
【請求項１４】
前記改札は、前記移動機に対して応答要求信号を送信する工程と、
前記移動機が前記改札と通信可能な範囲に入ると、前記移動機は、改札からの応答要求信号を受信して応答信号を送信する工程と、
前記改札は、前記移動機から応答信号を受信すると状態送信要求を前記移動機へ送信する工程と、
前記移動機は前記改札から状態送信要求を受信すると、現在入場状態であることを前記改札に送信する工程と、
前記改札は、入場状態であることを受信すると、前記移動機に対して退場情報を送信する工程と、
前記移動機は、前記改札から退場情報を受信すると、状態を退場とし、入場の際に記憶部に記憶した駅情報を消去する工程と、
前記移動機は、前記退場情報を受信すると、受信したことを前記改札に通知し、前記改札は移動機との通信を終了する工程と、
を含む請求項１３記載のセルサーチ方法。
【請求項１５】
請求項２乃至５のいずれか一に記載の移動機との間で情報の送受信を行う通信部と、
駅の情報を記憶し、前記移動機が改札を通過するとき、この駅情報を送信する記憶部と、
を備えている、ことを特徴とする改札。
【発明の詳細な説明】
【技術分野】
【０００１】
本発明は移動体通信システムに関し、特に、移動機のセル検出技術に関する。
【背景技術】
【０００２】
携帯電話等の移動体無線通信は、移動に制限がないため、便利であり普及している。移動に制限のない通信を実現するため、携帯電話端末（携帯通信端末）などの移動機は、周辺のセルを常に監視しており、どちらの方向に移動しても対応できるような状態で待ち受けている。
【０００３】
しかし、携帯電話の利用者が電車に乗っている場合などは、逆に、移動機の移動ルートが決まってくる。すなわち電車やバスなどの公共交通機関はその定められた運行ルート、運行ダイヤに沿って運行される。この場合、動ルートには、関係のないセルを検出し、通信を確立する必要はない。
【０００４】
なお、後記特許文献１には、予め定められたルートを移動する移動先の基地局を正確に判定するための技術が開示されている。この技術は、鉄道保安システムにおける無線信号システムにおいて、通信中の列車が移動するとき次の地上側無線装置を判定するものである。
【０００５】
また後記特許文献２には、ハンドオフ先候補に検出された頻度に応じて変化する重み付け値をセル情報と対応させて基地局関連情報データベースに格納し、ハンドオフ先候補となる基地局の検出を迅速に行い、基地局のサーチ時間を短縮し、消費電力を抑える移動無線通信端末が開示されている。
【０００６】
さらに後記特許文献３には、端末装置の位置情報と進行方向情報により、隣接する切替候補セルを選定し、選定されたセルに対してのみ、同期処理を実現することで、同期処理回数を低減する構成が開示されている。
【０００７】
【特許文献１】特開２０００−１６８５５６号公報（第１図）
【特許文献２】特開２００２−１７１５５５号公報（第１図）
【特許文献３】特開平０５−２５９９７２号公報（第１図）
【発明の開示】
【発明が解決しようとする課題】
【０００８】
上記したように、携帯電話の利用者が電車に乗っている場合、移動機の移動ルートが決まっていることから、わざわざ、該移動ルートに関係のないセルを検出し通信を確立する必要はない。
【０００９】
このように、ルートが決められている場合には、周辺のセルの中でルートから外れているものを削除することで、移動機でのセルサーチ処理の処理を軽減させ、接続のスピードを上げることができる。
【００１０】
したがって、本発明の目的は、移動機でのセルサーチの処理を軽減させ、接続のスピードを向上させるセル検出方法及び移動機を提供することにある。
【課題を解決するための手段】
【００１１】
本願で開示される発明は、上記目的を達成するため、概略以下の構成とされる。
【００１２】
本発明の１つのアスペクト（側面）に係る移動機は、無線基地局と無線通信する移動機であって、予め定められた路線上において少なくとも入場が行われる場所に設けられ入場情報を管理する装置と通信し、入場情報の受信を行う通信部と、前記路線のルート情報と前記ルートに沿ったセル情報を記憶する記憶部と、前記通信部で前記路線上の前記入場情報を管理する装置から受け取った入場情報を受信すると、前記記憶部に記憶されている情報を参照して、前記路線のルートに沿ったセル情報に基づき、現在のセルから次に移動するセルを予測し、次の移動先候補であるセルに関してサーチを行うセル検出部と、を備えている。
【００１３】
本発明の他のアスペクト（側面）に係る移動機は、無線基地局と無線通信を行う移動機において、駅改札において入場／退場情報の送受信を行う通信部と、前記路線のルート情報と前記ルートに沿ったセル情報を少なくとも記憶する記憶部と、セルのサーチを行い接続するセルの選択を行うセル検出部と、を備え、改札に入場する時、前記通信部が改札の通信部から入場情報、駅情報を受信して、前記記憶部に記憶し、前記記憶部の情報を参照して次の駅までの区間のセル情報を選択し、前記セル検出部は前記セル情報に基づき、現在のセルから次に移動するセルを予測してサーチを行う。
【００１４】
本発明に係る移動機において、前記記憶部は、最適セル情報として運行ダイヤを記憶し、駅改札へ入場する際に、駅情報と、入場時刻を記憶し、入場時刻以降に、駅から出発する鉄道に関して、運行ダイヤとセル情報を組み合わせた情報を参照し、現在のセルの次に接続する可能性のあるセルについて受信レベルを検出する構成としてもよい。
【００１５】
本発明に係る移動機において、前記移動機が、あるセルに移動すると該セルに移動した時刻を検出し、前記記憶部から読み出したセル情報のセルから、次のセルへ移動する時刻情報と比較し、移動時刻が最も近い情報を参照して、以降の接続セル、及び該セルとの接続時刻を予測し、セルの選択を行う構成としてもよい。
【００１６】
前記移動機の利用者が指定するルートにおいて前記セル検出部で検出されたセルの状態を記憶する手段を備えた構成としてもよい。
【００１７】
本発明に係る移動機において、セルを記憶するモードに設定された場合、前記セル検出部で検出されたセル情報を時刻情報とともに、前記記憶部に記憶し、前記記憶部に記憶されたセル情報を参照してセルサーチを行う場合には、利用者が前記移動機の操作部で、前記記憶部に記憶されたセル情報を検索してセルサーチを実行する構成としてもよい。
【００１８】
本発明の１つアスペクトに係るセルサーチ方法は、
移動機が、予め定められた路線のルート情報と前記ルートに沿ったセル情報を記憶部に記憶しておき、
前記路線上において少なくとも入場が行われる場所に設けられ入場情報を管理する装置と通信して入場情報の受信を行う工程と、
前記路線上の前記入場情報を管理する装置から受け取った入場情報を受信すると、前記記憶部に記憶されている情報を参照して、前記路線のルートに沿ったセル情報に基づき、現在のセルから次に移動するセルを予測し、次の移動先候補であるセルに関してサーチを行う工程と、を含む。
【００１９】
本発明の他のアスペクトに係るセルサーチ方法は、
移動機が、利用する鉄道の路線に沿った最適なセル情報を予め記憶部に記憶しており、
前記移動機は、改札から入場情報を受信すると、路線の前記駅に関して前記記憶部を検索し、前記駅から次の駅までの区間の最適なセル情報を取得する工程と、
前記移動機が、前記セル情報に基づき、現在のセルから次に移動するセルを予測し、次の移動先候補であるセルに関してサーチを行う工程と、を含む。
【００２０】
本発明において、前記移動機が、前記記憶部は、最適セル情報に運行ダイヤを記憶する工程と、
前記移動機が、駅改札への入場に際して、駅情報と、入場時刻を記憶する工程と、
前記移動機が、入場時刻以降に、駅から出発する鉄道に関して、運行ダイヤとセル情報を組み合わせた情報を参照し、現在のセルの次に接続する可能性のあるセルについて、受信レベルを検出する工程と、を含む構成としてもよい。
【００２１】
本発明において、前記移動機が、あるセルに移動すると、移動した時刻を検出し、前記記憶部のセル情報のセルから、他のセルへ移動する時刻情報と比較する工程と、
前記移動機は、移動時刻が最も近い情報を参照して、以降の接続セル、該セルとの接続時刻を予測し、セル選択を行う工程と、を含む構成としてもよい。
【００２２】
本発明において、前記移動機が、利用者の指定するルートにおける、検出セルの状態を記憶する工程を含む構成としてもよい。
【００２３】
本発明において、前記移動機でセル記憶モードに設定されると、セル検出部で検出したセル情報を時刻情報とともに記憶部に記憶し、その間、周辺セルについて、サーチを行い、最もよい受信レベルのセルを選択する工程と、
本発明において、前記記憶部に記憶されたセルデータを参照してセルサーチを行う場合には、前記移動機の操作部で、利用者が当該データを検索して実行する工程と、を含む構成としてもよい。
【発明の効果】
【００２４】
本発明によれば、移動機では、現在接続しているセルの情報とルートに沿ったセル情報より、現在のセルから次に移動するセルを予測することができ、接続する必要のあるセルを絞ることができ、不要なセルのサーチを行う必要がないため、セルサーチ時間を短縮することができ、接続のスピードを向上させる。
【発明を実施するための最良の形態】
【００２５】
上記した本発明をさらに詳細に説述すべく、添付図面を参照して、発明を実施するための最良の形態について以下に説明する。はじめに、本発明の原理について説明しておく。
【００２６】
＜発明の原理＞
本発明は、携帯電話端末（携帯通信端末）などのなどの移動機を有する利用者（加入者）が、電車やバスなど規定のルートを持つ移動手段を利用する際に、利用する電車などのルート情報に対応した最適セル情報を、移動機に記憶することで、速やかに最適セルに接続できるようにしたものである。
【００２７】
移動する経路が限定されるので、その経路に沿って検出すべきセルを限定できる。
【００２８】
セルを限定できるため、サーチの処理、時間を短縮することができる。
【００２９】
携帯電話などの移動機は、無線基地局との通信が可能な範囲（セル）においては自由に移動ができ、それを提供する無線基地局は複数存在する。複数のセル間を移動した場合でも通信を可能とするため、現在のセルから次に移動する可能性のある周辺のセルを常に監視している。しかし、電車などに乗っている場合、その移動範囲は電車の線路上に限られている。そのため、監視する必要があるセルはその路線上のものに限ることができる。
【００３０】
従来のセルサーチの手法では、路線から外れている、接続する可能性の無い周辺セルに関しても、検出してしまう。このため、該セルサーチに不必要な動作が発生し、必要なセルのサーチが遅れる。本発明によれば、不必要なセルサーチ処理を省略することで、移動機でのセルサーチに要する動作時間を短縮できる。よって、移動機の消費電力を低減することができ、待ち受け時間を延長することができる。
【００３１】
本発明は、その好ましい一実施の形態においては、無線基地局と通信を行う移動機が、駅改札において入場／退場情報の送受信を行う通信部（図２の２１２）と、路線上を移動する際に通過するセルを順に記憶し移動機がセルへ接続するための最適セル情報を記憶する記憶部（図２の２１５）と、セルのサーチを行い接続するセルの選択を行うセル検出部（図２の２１７）を備え、改札に入場する時、通信部（２１２）が改札から入場情報、駅情報を受信して記憶し、記憶部（２１５）から次の駅までの区間のセル情報を選択し、セル検出部（２１７）はセル情報に基づき現在のセルと、次の移動先候補であるセルに関してサーチを行う。
【００３２】
このように、本発明によれば、利用者は、携帯電話端末等の移動機を持って、改札を通過する際、移動機と改札との間で入場情報を送受信する。
【００３３】
本発明によれば、移動機は、入場した駅から出ている路線のルート情報とそのルートに沿った最適セル情報を予め記憶部に記憶しており、入場状態を検出すると、記憶部から、ルート情報とセル情報を参照する。ここで、ルートに沿った最適セル情報とは、路線上を移動する際に、通過するセルを通過する順に記憶したものであり、移動機が当該セルへ接続するための情報を持つ。
【００３４】
本発明によれば、移動機では、現在接続しているセルの情報と、上記のルートに沿ったセル情報より、現在のセルから次に移動するセルを予測することができる。このため、移動機では、接続する必要のあるセルを絞ることができ、不要なセルのサーチを行う必要がないため、セルサーチ時間を短縮することができる。以下実施例に即して詳細に説明する。
【実施例】
【００３５】
以下の実施例では、ある規定のルートを持つ移動手段として鉄道を例に挙げる。図１は、鉄道の駅と線路、及びその周辺に存在するセルを示す。図１において、セルＡ〜セルＧにはそれぞれのセル範囲内の移動機と接続する基地局が存在し、移動機との間で無線通信を行う。駅ＺはセルＡの範囲内に存在する。線路Ｒは鉄道が通る線路を示す。
【００３６】
鉄道に乗った利用者の移動機が、駅Ｚから、駅Ｙ方面に進む場合、セルＡ→セルＢ→セルＣ→セルＤの順に接続する。また、鉄道に乗った移動機が、駅Ｚから、駅Ｘ方面に進む場合には、セルＡ→セルＦ→セルＧの順に接続する。
【００３７】
図２は、本実施例における移動機２１０と、入退場を管理する改札２２０の構成の一例を示す図である。移動機２１０は、各セルにおいて、無線基地局と無線通信を行う通信部２１１と、駅改札において入退場情報の送受信を行う通信部２１２と、時刻を検出するタイマ２１３と、携帯電話を操作する操作部２１４と、少なくとも鉄道沿線のセル情報を少なくとも記憶する記憶部２１５と、各部の機能を制御する制御部２１６と、各セルの基地局からの受信レベルを検出し、どのセルに接続するかの選択を行うセル検出部２１７とを備えている。
【００３８】
改札２２０は、移動機２１０の通信部２１２との間で情報の送受信を行う通信部２２１と、駅の情報を記憶し、移動機２１０が改札を通過するとき、この駅情報を送信する記憶部２２２と、各部の機能を制御する制御部２２３を備えている。さらに、鉄道沿線の基地局２３０を備えている。
【００３９】
以下では、図１の路線Ｒ上のＺ駅から鉄道を、利用する場合について、本実施例の動作を説明する。
【００４０】
移動機２１０を持った利用者が、Ｚ駅の改札２２０を通過し、改札内に入場する時、移動機の通信部２１２と、改札の通信部２２１の間で、路線Ｒ−Ｚ駅から入場したという入場情報を送受信する。
【００４１】
図３は、このときの改札２２０と移動機２１０の動作シーケンスを示す図である。本実施例では、移動機の通信部２１２と改札２２０の通信部２２１は、近距離の無線通信を可能とするＢｌｕｅｔｏｏｔｈなどで通信を行う。以下、図２及び図３を参照して、本実施例の動作シーケンスを説明する。
【００４２】
（Ａ１）改札２２０の通信部２２１は、移動機２１０に対して、応答要求信号を送信する。
【００４３】
（Ａ２）移動機の通信部２１２と、改札２２０の通信部２２１が通信可能な範囲に入ると、移動機２１０の通信部２１２は、改札２２０からの応答要求信号を受信し、応答信号を送信する。
【００４４】
（Ａ３）改札２２０は、移動機２１０から応答信号を受信すると、移動機２１０の状態を確認するため状態送信要求を、移動機２１０へ送信する。
【００４５】
（Ａ４）移動機２１０は、状態送信要求を受信すると、現在“退場”状態であることを、改札２２０に送信する。
【００４６】
（Ａ５）改札２２０は、退場状態であることを受信すると、路線ＲのＺ駅という駅情報および入場したという入場情報を送信する。
【００４７】
（Ａ６）移動機２１０は、受信した駅情報を記憶部２１５に記憶し、状態を“入場”とする。
【００４８】
（Ａ７）また、移動機２１０は、入場情報を受信すると、受信したことを改札２２０に通知し、改札２２０は移動機２１０との通信を終了する。
【００４９】
移動機２１０は、利用する鉄道の「ルートに沿った最適セル情報」をあらかじめ記憶部２１５に記憶している。ここで、「ルートに沿った最適セル情報」とは、路線上を移動する際に通過するセルを通過する順に記憶したものであり、携帯電話がそのセルへ接続するための情報を持つ。この路線情報は、利用者が良く利用する路線に関して、インターネットのサイトからダウンロードするなどをして、記憶部２１５に記憶しておく。
【００５０】
移動機２１０は、改札２２０から入場情報を受信すると、路線Ｒ−Ｚ駅に関して記憶部２１５を検索し、路線Ｒ−Ｚ駅から次の駅までの区間の最適セル情報を読み出して取得する。
【００５１】
図１において、駅Ｚから出発するとき、検出されたセル情報は、例えば図４に示すようなものとなる。
【００５２】
路線Ｒに沿って移動する場合、最初のセルＡから次に移動する可能性があるのは、第１経路のセルＢ、または、第２経路のセルＦのいずれかとなる。
【００５３】
移動機２１０のセル検出部２１７は、記憶部２１５のセル情報に基づき、現在のセルＡと、次の移動先候補であるセルＢ（第１経路）、セルＦ（第２経路）に関してサーチを行う。
【００５４】
第１経路のセルＡからセルＢに移動すると、移動機２１０のセル検出部２１７は、セルＡ、セルＢ、セルＦの中で最も受信レベルの高いセル（セルＢ）を選択し、該セルと接続する。
【００５５】
次に、路線Ｒに沿って移動する場合、セルＢから移動する可能性があるのは、セルＣであるため、セルＢ、セルＣに関して、受信レベルを比較し、受信レベルの高いセルと接続する。
【００５６】
その後、セルＣに移動したとすると、記憶部２１５からのセル情報（図４）より、セルＣに駅Ｙが存在することを検出する。
【００５７】
駅が存在するセルに接続をすると、移動機２１０は、路線Ｒ−Ｃ駅に関して、記憶部２１５を検索し、最適セル情報を読み出す。検出されたセル情報は、図５のようになる。駅Ｚと駅Ｙ間の動作と同様の動作を繰り返すことで、各区間においてセル情報を参照したセルサーチを行うことができる。
【００５８】
図６は、本実施例において、移動機２１０を持って降車駅の改札２２０を通過するときの動作シーケンスを示す図である。以下、図２及び図６を参照して、本実施例の動作シーケンスを説明する。
【００５９】
（Ｂ１）改札２２０の通信部２２１は、移動機２１０に対して応答要求信号を送信する。
【００６０】
（Ｂ２）移動機２１０の通信部２１２と改札２２０の通信部２２１が通信可能な範囲に入ると、移動機２１０の通信部２１２は、改札２２０からの応答要求信号を受信し、応答信号を送信する。
【００６１】
（Ｂ３）改札２２０は、応答信号を受信すると、移動機２１０の状態を確認するために、状態送信要求を移動機２１０へ送信する。
【００６２】
（Ｂ４）移動機２１０は状態送信要求を受信すると、現在“入場”状態であることを改札２２０に送信する。
【００６３】
（Ｂ５）改札２２０は、“入場”状態であることを受信すると、移動機２１０に対して退場情報を送信する。
【００６４】
（Ｂ６）移動機２１０は、退場情報を受信すると、状態を“退場”とし、入場の際に記憶部２１５に記憶した駅情報を消去する。
【００６５】
（Ｂ７）また、移動機２１０は、退場情報を受信すると、受信したことを改札２２０に通知し、改札２２０は移動機２１０との通信を終了する。
【００６６】
上記した本実施例の作用効果について以下に説明する。
【００６７】
本実施例によれば、移動する経路が限定されるので、その経路に沿って検出すべきセルを限定できる。
【００６８】
本実施例によれば、セルを限定できるため、サーチの処理、時間を短縮することができる。
【００６９】
本実施例によれば、規定の経路を通るかどうかを特に設定する必要がなく、改札への入場時に自動で設定できる。
【００７０】
本実施例において、規定経路を持つ移動手段として、鉄道以外にもバス、高速道路等であってもよいことは勿論である。
【００７１】
また、本実施例において、改札での情報の送受信方法は、Ｂｌｕｅｔｏｏｔｈに限定されるものでなく、赤外線通信、無線ＬＡＮ（Local Area Network）またはＩＣチップを用いた方法など様々な方法が適用できることは勿論である。
【００７２】
本発明の他の実施例として、鉄道など運行ダイヤが決まっているものは、セル情報に運行ダイヤを付加して、検出を行うようにしてもよい。
【００７３】
駅Ｚの改札へ入場する際に駅情報と、入場時刻Ｔｉを記憶部（図２の２１５）に記憶する。入場時刻Ｔｉ以降に、駅Ｚから出発する鉄道に関して、例えば図７に示すように、運行ダイヤとセル情報を組み合わせた情報を記憶部（図２の２１５）から読み出す。この情報には、各運行ダイヤにおいて、接続セルを移動する時間の目安となる情報を含む。セルＡから移動すると、前述の方法と同様に、セルＡの次に接続する可能性のあるセルＢ及びＪについて受信レベルを検出する。
【００７４】
移動機が、セルＢに移動すると、移動した時刻Ｔｃを検出し、記憶部からのセル情報のセルＡから、セルＢへ移動する時刻情報と比較する。移動時刻が最も近い情報を参照して、以降の接続セル、そのセルとの接続時刻を予測し、セル選択を行う。
【００７５】
また、本実施例において、移動機２１０が、インターネット接続機能を具備し、最適セルの情報をインターネット上のデータベース（不図示）から、移動機にダウンロードするようにしてもよい。
【００７６】
あるいは、本実施例においては、改札２２０で入場の際に、移動機２１０が、駅の情報とともに、最適セルの情報を、受信するようにしてもよい。この場合、図３において、最適セルの情報は、改札２２０から、移動機２１０に送信される駅情報と一緒に、移動機２１０に送信される。
【００７７】
さらに、本実施例においては、駅に、セル情報配信用の端末を設け、移動機２１０の通信部２１２を用いることで、あたかも定期券を購入するのと同様の処理手順にしたがって、情報をダウンロードするようにしてもよい。
【００７８】
さらにまた、本実施例においては、利用者の指定するルートにおける、検出セルの状態を記憶する構成としてもよい。この構成について、図２を参照して、以下に説明する。
【００７９】
まず、移動機２１０の操作部２１４を用いて、セル記憶モードをスタートさせる。移動機２１０がセル記憶モードに入ると、セル検出部２１７で検出したセル情報を、タイマ２１３の時刻情報とともに、記憶部２１５に記憶する。その間、周辺セル全てについて、サーチを行い、最もよい受信レベルのセルを選択する。
【００８０】
移動機２１０でセル記憶モードを終了する場合は、操作部２１４にて終了操作を行う。
【００８１】
移動機２１０で、記憶したセルデータを参照し、セルサーチを行う場合には、移動機２１０の操作部２１４で、当該データを検索して、実行する。
【００８２】
このように記憶すると、公共交通機関を利用する場合だけでなく、通勤路などある程度同じルートを通る場合にも利用できる。
【００８３】
以上本発明を上記実施例に即して説明したが、本発明は、上記実施例の構成にのみ限定されるものでなく、本発明の範囲内で当業者であればなし得るであろう各種変形、修正を含むことは勿論である。
【産業上の利用可能性】
【００８４】
本発明は、電車、バス等の公共交通機関をはじめ、経路が定まった移動体のセルサーチに適用可能である。
【図面の簡単な説明】
【００８５】
【図１】本発明の一実施例を説明するための図である。
【図２】本発明の一実施例における移動機と改札の構成の一例を示す図である。
【図３】本発明の一実施例の動作手順を示すシーケンス図である。
【図４】本発明の一実施例の動作を説明するための図である。
【図５】本発明の一実施例の動作を説明するための図である。
【図６】本発明の一実施例の動作手順を示すシーケンス図である。
【図７】本発明の他の実施例の動作を説明するための図である。
【符号の説明】
【００８６】
２１０  移動機
２１１  通信部
２１２  通信部
２１３  タイマ
２１４  操作部
２１５  記憶部
２１６  制御部
２１７  セル検出部
２２０  改札
２２１  通信部
２２２  記憶部
２２３  制御部
２３０  基地局
【図１】
0004677729.tif 000002
【図２】
0004677729.tif 000003
【図３】
0004677729.tif 000004
【図４】
0004677729.tif 000005
【図５】
0004677729.tif 000006
【図６】
0004677729.tif 000007
【図７】
0004677729.tif 000008